【手続補正書】
【提出日】平成26年2月24日(2014.2.24)
【手続補正１】
【補正対象書類名】特許請求の範囲
【補正対象項目名】全文
【補正方法】変更
【補正の内容】
【特許請求の範囲】
【請求項１】
現像剤を使用する装置に組み込まれて前記現像剤を前記装置へ供給するために内部に現像剤を収容した現像剤収容器であって、
前記現像剤を内部に収容する第一収容部と、当該第一収容部と並列にかつ一体的に設けられて現像剤を内部に収容する第二収容部と、前記第一収容部と前記第二収容部との間に設けられてこれらの内部空間を連通する連通部と、前記第一収容部内に回転可能に装着された第一回転部材と、前記第二収容部内に回転可能に装着された第二回転部材とを備え、  前記第一収容部は、その内部の現像剤を装置側へ供給する供給口と、当該供給口と前記連通部とを開閉する開閉部材とを備えたことを特徴とする現像剤収容器。
【請求項２】
請求項１に記載の現像剤収容器において、
前記開閉部材が、前記連通部を開いたときに当該連通部に位置して、前記第一回転部材と前記第二回転部材との干渉を防止する１又は複数の干渉防止部を備えたことを特徴とする現像剤収容器。
【請求項３】
請求項２に記載の現像剤収容器において、
前記第二回転部材の先端のうち干渉防止用リブに接触する部分に設けられ、当該干渉防止用リブが接触することで撓んで周囲を前記連通部から前記第一収容部側へ入り込ませる切り込み部を備えたことを特徴とする現像剤収容器。
【請求項４】
請求項２に記載の現像剤収容器において、
前記第一回転部材は第一撹拌部材であって、前記第二回転部材は第二撹拌部材であって、
前記第一撹拌部材及び前記第二撹拌部材が、独立して揺動する弾性薄板片を複数枚並べて構成され、
前記第一撹拌部材及び前記第二撹拌部材の各弾性薄板片が、前記複数の干渉防止用リブにそれぞれ接触する横幅寸法に設定されたことを特徴とする現像剤収容器。
【請求項５】
請求項４に記載の現像剤収容器において、
前記第一撹拌部材の複数の弾性薄板片のうち、前記供給口に位置する弾性薄板片が最も高く、当該弾性薄板片の両側の弾性薄板片が最も低く設定され、その最も低い弾性薄板片の外側の弾性薄板片を順々に高く設定されたことを特徴とする現像剤収容器。
【請求項６】
請求項１乃至５のいずれか１項に記載の現像剤収容器において、
前記第一収容部と前記第二収容部とを、それらの下端部が同じ高さになるように配置されたことを特徴とする現像剤収容器。
【請求項７】
請求項４乃至６のいずれか１項に記載の現像剤収容器において、
前記第一撹拌部材は、その回転軸から第一収容部の内周面に向かって延びる部材で構成され、
前記第二撹拌部材は、その回転軸から第二収容部の内周面に向かって延びる部材と、この部材から第二撹拌部材の回転方向における下流側に延びる部材とで構成されたことを特徴とする現像剤収容器。
【請求項８】
前記現像剤を内部に収容する第一収容部と、
前記第一収容部と並列にかつ一体的に設けられて現像剤を内部に収容する第二収容部と、
前記第一収容部と前記第二収容部との間に設けられてこれらの内部空間を連通する連通部と、
前記第一収容部は、その内部の現像剤を装置側へ供給する供給口と、当該供給口と前記連通部とを開閉する開閉部材と
を備えたことを特徴とする現像剤収容器。
【請求項９】
現像剤収容器から供給される現像剤で画像を形成する画像形成ユニットにおいて、
前記現像剤収容器として請求項１乃至８のいずれ１項に記載の現像剤収容器を用いたことを特徴とする画像形成ユニット。
【請求項１０】
内部に組み込まれた現像剤収容器から供給される現像剤で画像を形成する画像形成装置において、
前記現像剤収容器として請求項１乃至８のいずれ１項に記載の現像剤収容器を備えたことを特徴とする画像形成装置。
【手続補正２】
【補正対象書類名】明細書
【補正対象項目名】０００６
【補正方法】変更
【補正の内容】
【０００６】
第１の本発明の現像剤収容器は、上述の点の鑑みてなされたもので、現像剤を使用する装置に組み込まれて前記現像剤を前記装置へ供給するために内部に現像剤を収容した現像剤収容器であって、前記現像剤を内部に収容する第一収容部と、当該第一収容部と並列にかつ一体的に設けられて現像剤を内部に収容する第二収容部と、前記第一収容部と前記第二収容部との間に設けられてこれらの内部空間を連通する連通部と、前記第一収容部内に回転可能に装着された第一回転部材と、前記第二収容部内に回転可能に装着された第二回転部材とを備え、前記第一収容部は、その内部の現像剤を装置側へ供給する供給口と、当該供給口と前記連通部とを開閉する開閉部材とを備えたことを特徴とする。
また、第２の本発明の現像剤収容器は、現像剤を内部に収容する第一収容部と、第一収容部と並列にかつ一体的に設けられて現像剤を内部に収容する第二収容部と、第一収容部と第二収容部との間に設けられてこれらの内部空間を連通する連通部と、第一収容部は、その内部の現像剤を装置側へ供給する供給口と、当該供給口と連通部とを開閉する開閉部材とを備えたことを特徴とする。
【手続補正３】
【補正対象書類名】明細書
【補正対象項目名】０００７
【補正方法】変更
【補正の内容】
【０００７】
また、第３の本発明の画像形成ユニットは、現像剤収容器から供給される現像剤で画像を形成する画像形成ユニットにおいて、前記現像剤収容器として第１又は第２の本発明の現像剤収容器を用いたことを特徴とする。
【手続補正４】
【補正対象書類名】明細書
【補正対象項目名】０００８
【補正方法】変更
【補正の内容】
【０００８】
さらに、第４の本発明の画像形成装置は、内部に組み込まれた現像剤収容器から供給される現像剤で画像を形成する画像形成装置において、現像剤収容器として第１又は第２の本発明の現像剤収容器を備えたことを特徴とする。
【手続補正５】
【補正対象書類名】明細書
【補正対象項目名】００１３
【補正方法】変更
【補正の内容】
【００１３】
画像形成装置２９には、給紙ローラ１７〜１９、排出ローラ２３〜２６を有する用紙搬送路２８が設けられている。用紙搬送路２８には、記録媒体である用紙１３を収納する給紙カセット１６と、画像形成後の用紙を一時的にストックするスタッカ２７が設けられている。さらに用紙搬送路２８には、現像剤４を記録媒体に転写する為の転写ローラ１２や、現像剤４を記録媒体に定着させる為の定着部２２が設けられている。転写ローラ１２の上には画像形成ユニット２１が配置されている。
【手続補正６】
【補正対象書類名】明細書
【補正対象項目名】００７８
【補正方法】変更
【補正の内容】
【００７８】
［効果］
以上のように、第２実施形態によれば、第１実施形態による効果に加え、第二撹拌フィルム４５に切り込み部４５ａを設けることで、第二撹拌フィルム４５の切り込み部４５ａの根元の稜線部４５ｂが、シャッタ部材３３の干渉防止用リブ３３ａと接触することで、第二撹拌フィルム４５の先端部の切り込み部４５ａ以外の部分が、シャッタ部材３３の開口３３ｅ内に入り込むため、第二撹拌フィルム４５の現像剤収容器５の第二収容部３９から第一収容部３８へ現像剤４を搬送する能力がより高まり、現像剤収容器５内に残留する現像剤４の量を減らすことができる。
【手続補正７】
【補正対象書類名】明細書
【補正対象項目名】００７９
【補正方法】変更
【補正の内容】
【００７９】
また、第二撹拌フィルム４５の先端部の切り込み部４５ａ以外の部分が、シャッタ部材３３の開口３３ｅ内に入り込んでも、第一撹拌フィルム３５とは相互干渉しないため、第１実施形態と同様に、相互干渉時に発生する異音、負荷の上昇も抑えることができる。